(57)【要約】【課題】材料に無駄が生じることがなく、在庫管理の容易な、浄化槽マンホールの嵩上げ枠を提供する。【解決手段】嵩上げ枠（10）は主枠（12）と予備枠（14）との組合せからなる。主枠（12）は、浄化槽マンホール口に嵌合するためのスカート（16）と、このスカートと一体の嵩上げ用筒（18）とを有する。予備枠（14）は、小径のスカート（22）と、主枠の嵩上げ用筒を切断した残材（28）を嵌合し支持するための短い嵌合用支持筒（24）とを備えている。主枠の残材（28）を予備枠（14）に嵌合することにより新たな嵩上げ枠が出来上がるので、残材の有効利用を図ることができ、資源が無駄にならない。【選択図】      図２
2004189327.tif 000002
【特許請求の範囲】
【請求項１】
浄化槽のマンホール口に嵌合可能なスカートと、前記スカートから一体に所定高さまで立ち上がった嵩上げ用筒、とを備えた主枠と、
浄化槽のマンホール口に嵌合可能で、かつ、前記主枠のスカートの内側に着脱自在に収納可能な予備枠スカートと、前記主枠の嵩上げ用筒を切断した残材を嵌合し支持するべく前記予備枠スカートから一体に短い長さだけ立ち上がった短い嵌合用支持筒、とを備えた予備枠、
との組合せからなる浄化槽マンホールの嵩上げ枠。
【請求項２】
自由状態における主枠スカートの内径寸法は対応する自由状態における予備枠スカートの外径寸法よりも僅かに小さく設定してあり、もって、主枠の内側に予備枠を嵌合した時に、予備枠スカートが主枠スカートに対して締まり嵌めされるようになっていることを特徴とする請求項１に基づく嵩上げ枠。
【請求項３】
予備枠スカートの外周には円周方向に離間された複数のリブを設け、主枠の内側に予備枠を圧入する時に予備枠スカートが半径方向内側に弾性変形するのを容易にするようにしたことを特徴とする請求項２に基づく嵩上げ枠。
【請求項４】
予備枠スカートの外周の前記リブは予備枠の嵌合用支持筒まで延長しており、前記リブの外径は主枠の嵩上げ用筒の内径より大きく設定してあり、もって、主枠の嵩上げ用筒の残材を予備枠に装着した時に当該残材がリブに対して締まり嵌めされるようになっていることを特徴とする請求項３に基づく嵩上げ枠。
【請求項５】
予備枠スカートの外周のリブに対応して主枠スカートの外周にも円周方向に離間された複数のリブを設けたことを特徴とする請求項３又は４に基づく嵩上げ枠。
【請求項６】
前記予備枠の上下方向寸法は、主枠の内側に予備枠を嵌合した時に主枠の下端面と予備枠の下端面がほぼ同一面に位置するように設定されていることを特徴とする請求項１から５にいづれかに基づく嵩上げ枠。
【発明の詳細な説明】
【０００１】
【発明の属する技術分野】
本発明は、浄化槽マンホールの嵩上げ枠に関する。
【０００２】
【従来の技術】
浄化槽には、水質検査や内部機器の点検修理やスラッジの搬出などのために一般に各処理槽毎にマンホールが設けてある。マンホールは浄化槽と一体成形されたマンホール口（首部）により画成される。マンホール口を開閉可能に閉鎖するため、一般に、マンホール口の上にマンホール枠が設けられ、このマンホール枠にマンホール蓋が取り外し可能に装着される。
【０００３】
浄化槽は、そのマンホール蓋が地面レベルと同レベルになるような深さに埋設するのが好ましい。しかし、配管などの関係で、設計上の深さよりも深いところに浄化槽を埋設しなければならないことがある。
従来、このような場合に、アジャスターと呼ばれるマンホール嵩上げ枠が使用されている。即ち、図１に示したように、浄化槽１のマンホール口２の上にマンホール嵩上げ枠３を載置し、この嵩上げ枠３によってマンホール枠４を支持し、このマンホール枠４にマンホール蓋５を装着している。
浄化槽の埋設深さは施行現場毎に異なり得るので、図１においてマンホール中心軸線の左右に示したように、嵩上げ枠３の高さもそれに合わせて調節しなければならない。
【０００４】
【発明が解決しようとする課題】
従来、マンホール嵩上げ枠の高さを変えるには、例えば、100ｍｍ、200ｍｍ、300ｍｍのような高さの異なる複数種類の嵩上げ枠を予め準備しておき、適当な高さのいづれか１つの嵩上げ枠を選んで、鋸などで所望の高さで切断している。
このやり方では、高さの異なる複数種類の嵩上げ枠を在庫として用意して置かねばならないので、在庫の管理が面倒である。また、切断により生じた残材は、再利用・有効利用の途がないので、廃棄物として処分しなければならず、資源の無駄を招いている。
【０００５】
従来技術には、また、互いに螺合された上下２つのネジ付きの筒で１つのマンホール嵩上げ枠を構成し、上下の筒を相対回転させることにより全体高さを調節するようになったネジ式の嵩上げ枠が知られている。
このやり方は、嵩上げ枠を切断することなく高さを調節することができると共に、浄化槽のマンホール口に載せるだけで嵩上げ枠を取付けできるので取付作業が簡単である、という利点がある。
しかしながら、このネジ式の嵩上げ枠は、斜めに切ることによってマンホール蓋の水切り用の勾配を取るのが困難であるという難点がある。また、ネジの噛み合い長さの範囲内でしか伸縮させることができないので、高さ調節できるのも一般に50〜100ｍｍ程度に限られる。
【０００６】
本発明の目的は、高さ調節の自由度が大きく、にも拘わらず在庫管理を簡素化することの可能な、浄化槽マンホールの嵩上げ枠を提供することにある。
本発明の他の目的は、高さ調節のための切断により生じた残材を有効利用することの可能な浄化槽マンホール嵩上げ枠を提供することにある。
本発明の他の目的は、保管や搬送や取り扱いの容易な浄化槽マンホール嵩上げ枠を提供することにある。
【０００７】
【課題を解決するための手段】
本発明の浄化槽マンホールの嵩上げ枠は、
（１）浄化槽のマンホール口に嵌合可能なスカートと、前記スカートから一体に所定高さまで立ち上がった嵩上げ用筒、とを備えた主枠と、
（２）浄化槽のマンホール口に嵌合可能で、かつ、前記主枠のスカートの内側に着脱自在に収納可能な予備枠スカートと、前記予備枠スカートから一体に短い長さだけ立ち上がり、前記主枠の嵩上げ用筒を切断した残材を嵌合し支持するための短い嵌合用支持筒、とを備えた予備枠、
との組合せからなる。
【０００８】
詳しくは図面を参照しながら後述するが、運搬や保管に際しては、本発明の組合せ嵩上げ枠は予備枠を主枠の内側に嵌合した状態で取り扱うことができる。
使用に際しては、主枠から予備枠を取り外し、先ず主枠を使用することができる。浄化槽の特定のマンホール口の埋設深さに合わせて、主枠の嵩上げ用筒を所望の高さで切断し、この主枠を当該マンホール口に取付ける。
主枠の切断により生じた嵩上げ用筒の残材は、予備枠と組み合わせ、他の嵩上げ枠として利用することができる。
従って、本発明によれば、在庫管理の簡素化、残材の有効利用を図ることができると共に、運搬や在庫管理が容易になる。
【０００９】
好ましい実施態様においては、自由状態における主枠スカートの内径寸法は対応する自由状態における予備枠スカートの外径寸法よりも僅かに（例えば、１〜２ｍｍ）小さく設定してあり、もって、主枠の内側に予備枠を嵌合した時に、予備枠スカートが半径方向内側に押し込められ、予備枠スカートが主枠スカートに対して締まり嵌めされるようになっている。
このようにすれば、主枠の内径寸法をできるだけ小さく抑えることができ、主枠スカートをマンホール口にピッタリと嵌合させることができる。また、主枠の内側に予備枠を嵌合した時に、予備枠が確実に保持される。
【００１０】
好ましくは、予備枠スカートの外周には、円周方向等間隔に離間され半径方向外側に膨出した複数のリブを設ける。
これらのリブは、主枠の内側に予備枠を圧入する時に、主枠スカートの円周方向長さに対して過剰な円周方向長さを有する予備枠スカートが、リブのところで半径方向内側へ弾性変形するのを可能にし、予備枠が主枠の内側に弾力的に嵌合するのを容易にする。
【００１１】
より好ましい実施態様においては、予備枠スカートの外周のリブは予備枠の嵌合用支持筒まで延長しており、リブの外径は主枠の嵩上げ用筒の内径より大きく設定してある。
このような構成にすれば、主枠の嵩上げ用筒の残材を予備枠に装着した時に残材がリブに対して締まり嵌めされ、残材が予備枠に対して確実に保持される。
【００１２】
好ましい実施態様においては、予備枠スカートの外周のリブに対応して主枠スカートの外周にも円周方向に離間された複数のリブを設ける。
主枠のこれらのリブは、主枠の内側に予備枠を圧入する時に、主枠が弾性変形するのを可能にし、主枠の内側に予備枠を着脱するのを容易にする。
【００１３】
好ましくは、予備枠の上下方向寸法は、主枠の内側に予備枠を嵌合した時に主枠の下端面と予備枠の下端面がほぼ同一面に来るように設定する。
このように構成すれば、主枠の内側に予備枠を嵌め殺しにしたまゝでこの組合せ嵩上げ枠をマンホール口に取り付けて埋設するのが可能になると共に、組合せ嵩上げ枠の取り扱いが容易になる。
【００１４】
本発明の上記特徴や効果並びに他の特徴や効果は以下の実施例の記載につれて更に明らかにする。
【００１５】
【発明の実施の形態】
非限定的な実施例を示す添付図面を参照しながら、本発明を説明する。
図２を参照するに、浄化槽のマンホールを嵩上げするための本発明の組合せ嵩上げ枠１０は、主枠１２と予備枠１４とで構成される。
図２（Ａ）に示したように、主枠１２および予備枠１４は、非使用時に予備枠１４を主枠１２の内側に着脱自在にかつ若干圧縮状態で収納できるように設計されている。従って、予備枠１４は主枠１２よりも僅かに小さな外径寸法を有する。
主枠１２および予備枠１４は例えば塩化ビニル樹脂のブロー成形により形成することができる。
【００１６】
主枠１２は、浄化槽のマンホール口（図１に参照番号２で示されている）に嵌合可能なスカート１６と、このスカート１６から一体に所定高さまで立ち上がった嵩上げ用筒１８とで構成されている。
非使用時に主枠１２の内側に予備枠１４を収納しなければならないので、当然、スカート１６の内径寸法は予備枠１４の内径寸法よりも大きくしなければならない。
しかしながら、スカート１６を浄化槽のマンホール口２に出来るだけぴったりと具合良く嵌合させるためには、スカート１６の内径寸法はマンホール口２の外径寸法に出来るだけ近づけるのが好ましい。
そこで、主枠の内側に予備枠１４を収納するのを可能にしながらも、浄化槽のマンホール口２にスカート１６が充分具合良く嵌合するのを可能にするため、自由状態における予備枠スカートの内径寸法は浄化槽マンホール口の外径寸法にほぼ等しくすると共に、自由状態における主枠スカートの内径寸法は対応する自由状態における予備枠スカートの外径寸法よりも僅かに（例えば、１〜２ｍｍ）小さく設定する。
【００１７】
予備枠１４は、スカート２２と、このスカート２２から一体に立ち上がった短い嵌合用支持筒２４とで構成される。
予備枠１４のスカート２２は、浄化槽のマンホール口２にほぼぴったりと嵌合可能な内側断面輪郭および寸法を有する。
【００１８】
図３の拡大断面図から良く分かるように、予備枠１４のスカート２２は、浄化槽のマンホール口２のテーパ状側面に係合させるためのテーパ部３２と、浄化槽のマンホール口２の上部端面に係合させるための段部３４を有する。段部３４が浄化槽のマンホール口２の上部端面に載ることにより予備枠１４の荷重が浄化槽に支持され、テーパ部３２がマンホール口２のテーパ状側面に係合することにより予備枠１４が浄化槽に対して半径方向に位置決めされる。
【００１９】
主枠１２のスカート１６の断面形状も、図３に示し前述した予備枠１４のスカート２２の断面形状と同様であり、後者に対して相似形に形成されている。
即ち、図示したように、浄化槽のマンホール口２の上に載置するため、主枠１２のスカート１６の上端にも段部が設けてある。これに対応して嵩上げ用筒１８の下部は下方に向かってテーパ状に縮径させてあり、スカート１６の段部と嵩上げ用筒１８が一体的に連絡するようになっている。
嵩上げ用筒１８の高さは、例えば、300ｍｍにすることができる。
補強のため、嵩上げ用筒１８は図示したように波形に成形してある。
【００２０】
図２に示したように、主枠１２には、スカート１６上部の段部と嵩上げ用筒１８下部のテーパ部とに跨って、スカートと同じ肉厚を有し円周方向等間隔に離間された例えば６つのリブ（膨出部）２０が設けてある。
主枠１２のリブ２０に対応して、予備枠１４にも円周方向等間隔に離間された例えば６つのリブ３６が設けてある。リブ３６の断面形状は図３から良く理解できるであろう。予備枠１４のリブ３６は嵌合用支持筒２４まで延長させてある。主枠１２のリブ２０と予備枠１４のリブ３６は互いに嵌合するべく相似形に形成されている。
予備枠１４のリブ３６の第１の機能は、図３に示したように嵩上げ用筒１８の残材を予備枠１４に嵌合したときに当該残材がリブ３６に対して締まり嵌めされ、もって、残材が予備枠１４にしっかりと支持されるようにすることである。従って、予備枠１４のリブ３６の外径は、波形の嵩上げ用筒１８の最小内径よりも若干大きく設定する。
【００２１】
リブ２０、３６の他の重要な機能は、主枠１２の内側に予備枠１４を着脱自在に弾力的に位置決めし収納することであり、これについてはより詳しく後述する。
リブ２０、３６の他の機能は、スカート１６、２２を補強することである。
【００２２】
使用前には、本発明の組合せ嵩上げ枠１０は、図２（Ａ）に示したように、主枠１２の内側に予備枠１４を嵌合した状態で運搬し、かつ、保管することができる。
前述したように、自由状態における主枠スカート１６の内径寸法を自由状態における予備枠スカート２２の外径寸法よりも例えば２ｍｍ小さく設定した場合には、主枠１２の内側に予備枠１４を圧入する時には、予備枠１４を主枠１２に対して直径方向に２ｍｍだけ圧縮しなければ、主枠１２の内側に予備枠１４を圧入することができないであろう。
しかしながら、主枠１２と予備枠１４にはリブ２０、３６が夫々設けてあるので、主枠１２に予備枠１４を圧入する時には、主枠１２と予備枠１４のうち円周方向に過剰な長さは弾性変形によりリブ２０、３６に向かってしわ寄せされ、予備枠１４を主枠１２に対して直径方向に圧縮するのを許容する。
こうして、主枠１２の内側に予備枠１４が圧縮状態で嵌合され、確実に位置決めされる。
このように主枠１２と予備枠１４とを嵌合した状態で複数の組合せ嵩上げ枠１０を多段に積み重ねることができ、運搬や在庫管理を容易に行うことができる。
【００２３】
使用に際しては、主枠１２と予備枠１４とを分離し、例えば先ず主枠１２から使用することができる。
浄化槽のマンホール口の埋設深さに合わせて、図４に示したように、主枠１２の嵩上げ用筒１８を適当な高さの切断線２６に沿って切断する。切断により高さ調節された主枠１２Ａは、図１に示したやり方でマンホール口２に取付け、マンホール枠の嵩上げに使用する。
【００２４】
主枠１２の嵩上げ用筒１８を切断線２６に沿って切断することにより得られた残材２８は、予備枠１４と組み合わせることにより、同一又は他の浄化槽の他のマンホールの嵩上げに使用することができる。
即ち、この残材２８を必要に応じて適当な高さに切断した後、図４および図５に示したように予備枠１４の嵌合用支持筒２４に嵌合することにより、新たな嵩上げ枠３０が構成され、これを他のマンホールの嵩上げに使用することができる。
【００２５】
以上には本発明の特定の実施例について説明したが、本発明はこれに限定されるものではなく、種々の変更や修正を施すことができ、かかる態様も本発明の範囲に属する。例えば、スカートの形状や寸法は適宜変更することができる。リブや波形の有無や形状・寸法も適宜変更することができる。
予備枠が不要な場合には、予備枠を主枠の内側に嵌め殺しにしたまゝで埋設することも可能である。
【００２６】
【発明の効果】
本発明によれば、在庫として１種類の組合せ嵩上げ枠を準備しておくだけで、広範な高さ調節に対処することができるので、在庫管理を著しく簡素化することができる。
本発明の他の効果は、切断により生じた残材を有効利用することができ、産業廃棄物を最小限にすることができるということである。
また、本発明の組合せ嵩上げ枠は、主枠の内側に予備枠を嵌合した状態で運搬し保管することができるので、恰も２つの嵩上げ枠を１個の如く取り扱うことができ、運搬や在庫管理を容易にすることができる。
更に、従来のネジ式の嵩上げ枠と異なり、本発明の組合せ嵩上げ枠は、斜めに切断することができるので、水切り用勾配を取るのが容易であるという利点がある。
本発明の他の効果については、段落「0009」から「0013」を参照されたい。
【図面の簡単な説明】
【図１】浄化槽マンホールを異なるレベルに嵩上げするやり方を示す。
【図２】（Ａ）は本発明の組合せ嵩上げ枠の主枠と予備枠を嵌合したところを示す断面図、（Ｂ）は主枠と予備枠を分離したところを示す斜視図である。
【図３】図２のIII−III線に沿った断面図である。
【図４】本発明の組合せ嵩上げ枠の主枠を切断し、残材を予備枠に利用するところを示す斜視図である。
【図５】主枠の残材を予備枠に嵌合したところを示す断面図である。
【符号の説明】
１０：  組合せ嵩上げ枠
１２：  主枠
１４：  予備枠
１６：  主枠のスカート
１８：  主枠の嵩上げ用筒
２０：  主枠のリブ
２２：  予備枠のスカート
２４：  予備枠の嵌合用支持筒
２８：  主枠の残材
３６：  予備枠のリブ
【図１】
2004189327.tif 000003
【図２】
2004189327.tif 000004
【図３】
2004189327.tif 000005
【図４】
2004189327.tif 000006
【図５】
2004189327.tif 000007